(57)【要約】      （修正有）【課題】本発明は送風装置の性能の低下を抑制して装置の薄型化を図る。【解決手段】モータ１は、環状のステータ１１およびロータ１２を有する。インペラ２は、ロータに固定され、ロータとともに回転する。回路基板３は、インペラの軸方向下方に少なくとも一部が配置される。インペラは、インペラ筒部２１と、羽根部２２と、を有する。インペラ筒部は、ステータおよびロータより径方向外方に配置される。羽根部は、インペラ筒部から中心軸から離れる方向に延び、周方向に配置される。ロータは、ステータより径方向外方に配置されるマグネット１２４を保持するロータホルダ１２１を有する。インペラ筒部は、外周面２１ａと、内周面２１ｂと、を有する。外周面は、羽根部と径方向に接続される。内周面は、ロータホルダと径方向に接触する。回路基板上の少なくとも１つの電子部品３０は、内周面の径方向外方、且つ、外周面の径方向内方に配置されている。【選択図】図４
2020076330.tif 000002
【特許請求の範囲】
【請求項１】
上下に延びる中心軸を中心とする環状のステータおよび前記中心軸を中心として回転するロータを有するモータと、
前記ロータに固定され、前記ロータとともに回転するインペラと、
前記インペラの軸方向下方に少なくとも一部が配置される回路基板と、
を有し、
前記インペラは、
前記ステータおよび前記ロータより径方向外方に配置される筒状のインペラ筒部と、
前記インペラ筒部から前記中心軸から離れる方向に延び、周方向に配置される複数の羽根部と、
を有し、
前記ロータは、前記ステータより径方向外方に配置されるマグネットを保持するロータホルダを有し、
前記インペラ筒部は、
前記羽根部と径方向に接続される外周面と、
前記ロータホルダと径方向に接触する内周面と、
を有し、
前記回路基板上の少なくとも１つの電子部品は、前記内周面の径方向外方、且つ、前記外周面の径方向内方に配置されている、送風装置。
【請求項２】
軸方向高さが最も高い前記電子部品の軸方向上端は、前記マグネットの軸方向下端よりも軸方向上方に位置する、請求項１に記載の送風装置。
【請求項３】
軸方向高さが最も高い前記電子部品の軸方向上端は、前記羽根部の径方向内端の軸方向下端より軸方向上方に位置する、請求項２に記載の送風装置。
【請求項４】
前記インペラ筒部は、
前記内周面から径方向外方に延びる天板部と、
前記天板部の下面から前記内周面に沿って軸方向下方に延びる内壁部と、
前記天板部の下面から前記外周面に沿って軸方向下方に延びる外壁部と、
を有し、
少なくとも１つの前記電子部品の一部は、前記天板部と前記内壁部と前記外壁部とによって形成される凹部に収容される、請求項１から３のいずれか１項に記載の送風装置。
【請求項５】
前記内壁部の径方向外方の面と、前記外壁部の径方向内方の面とのうち少なくとも一方は、軸方向に対して傾斜する傾斜部を有する、請求項４に記載の送風装置。
【請求項６】
前記傾斜部は、前記外壁部の径方向内方の面に設けられ、
前記外壁部は、前記傾斜部により軸方向下方に向かうにつれて径方向の幅が狭くなる、請求項５に記載の送風装置。
【請求項７】
前記回路基板の軸方向下方に配置され、前記モータおよび前記回路基板を支持するベースを更に有し、
前記ベースは、軸方向に貫通し、周方向に間隔をあけて配置される複数の開口部を有し、
前記複数の開口部は、前記羽根部と軸方向に対向し、
前記回路基板の径方向外端は、前記外周面と同一位置、或いは、前記外周面より径方向内方に配置されている、請求項１から６のいずれか１項に記載の送風装置。
【請求項８】
前記内壁部の軸方向下端は、前記外壁部の軸方向下端よりも軸方向下方に配置されている、請求項７に記載の送風装置。
【請求項９】
前記回路基板の軸方向下方に配置され、前記モータおよび前記回路基板を支持するベースを更に有し、
前記回路基板又は前記ベースは、軸方向上方に突出する突出部を有し、
前記突出部は、前記外壁部と軸方向に対向している、請求項４から６のいずれか１項に記載の送風装置。
【発明の詳細な説明】
【技術分野】
【０００１】
本発明は、送風装置に関する。
【背景技術】
【０００２】
特開２０１３−１８７９２２号公報には、静止部と、静止部に対して回転可能に支持された回転部とを有するファンモータが開示されている。静止部は、上下に延びる中心軸と同軸に配置された電機子と、電機子の下側に配置された回路基板と、電機子および回路基板を支持するベース部材とを有する。回転部は、電機子の径方向外側に位置するマグネットと、マグネットとともに回転するインペラとを有する。
【先行技術文献】
【特許文献】
【０００３】
【特許文献１】特開２０１３−１８７９２２号公報
【発明の概要】
【発明が解決しようとする課題】
【０００４】
特開２０１３−１８７９２２号公報に開示されているファンモータにおいては、電機子の下側に回路基板が配置されている。このような構成では、回路基板上の電子部品が電機子と接触することを避けるために、ファンモータの厚みが厚くなる可能性がある。電機子との接触を避けるために電機子から離して配置された電子部品が、ファンモータの駆動により発生する気流の通過経路上に存在する場合、風量の低下要因、又は、音の発生要因となる虞がある。
【０００５】
本発明は、送風装置において、性能の低下を抑制して装置の薄型化を図ることができる技術を提供することを目的とする。
【課題を解決するための手段】
【０００６】
本発明の例示的な送風装置は、モータと、インペラと、回路基板と、を有する。モータは、上下に延びる中心軸を中心とする環状のステータおよび中心軸を中心として回転するロータを有する。インペラは、ロータに固定され、ロータとともに回転する。回路基板は、インペラの軸方向下方に少なくとも一部が配置される。インペラは、インペラ筒部と、羽根部と、を有する。インペラ筒部は、ステータおよびロータより径方向外方に配置される。羽根部は、インペラ筒部から中心軸から離れる方向に延び、周方向に配置される。ロータは、ステータより径方向外方に配置されるマグネットを保持するロータホルダを有する。インペラ筒部は、外周面と、内周面と、を有する。外周面は、羽根部と径方向に接続される。内周面は、ロータホルダと径方向に接触する。回路基板上の少なくとも１つの電子部品は、内周面の径方向外方、且つ、外周面の径方向内方に配置されている。
【発明の効果】
【０００７】
例示的な本発明によれば、送風装置において、性能の低下を抑制して装置の薄型化を図ることができる。
【図面の簡単な説明】
【０００８】
【図１】図１は、本発明の実施形態に係る送風装置の斜視図である。
【図２】図２は、図１に示す送風装置のインペラを取り除いた斜視図である。
【図３】図３は、本発明の実施形態に係る送風装置の縦断面図である。
【図４】図４は、図３に示す縦断面図の一部を拡大して示した図である。
【図５】図５は、本発明の実施形態に係る送風装置の電子部品周りの構成を示す縦断面図である。
【図６】図６は、第１変形例の送風装置を説明するための図である。
【図７】図７は、第２変形例の送風装置を説明するための図である。
【図８】図８は、第３変形例の送風装置を説明するための図である。
【図９】図９は、第４変形例の送風装置を説明するための図である。
【発明を実施するための形態】
【０００９】
以下、本発明の例示的な実施形態について、図面を参照しながら詳細に説明する。なお、本明細書では、図３に示す送風装置１００が有するモータ１の中心軸Ｃに平行な方向を「軸方向」、中心軸Ｃと直交する方向を「径方向」、中心軸Ｃを中心とする円弧に沿う方向を「周方向」とそれぞれ称する。また、本明細書では、軸方向を上下方向とし、インペラ２に対してベース４が設けられる側を下として、各部の形状や位置関係を説明する。ただし、この上下方向の定義により、本発明に係る送風装置１００の使用時の向きを限定する意図はない。
【００１０】
＜１．送風装置の概要＞
図１は、本発明の実施形態に係る送風装置１００の斜視図である。図２は、図１に示す送風装置１００のインペラ２を取り除いた斜視図である。図３は、本発明の実施形態に係る送風装置１００の縦断面図である。図４は、図３に示す縦断面図の一部を拡大して示した図である。送風装置１００は、遠心ファンである。図１から図４に示すように、送風装置１００は、モータ１と、インペラ２と、回路基板３とを有する。送風装置１００は、ベース４を更に有する。
【００１１】
（１−１．モータ）
モータ１は、アウターロータ型のモータである。図３および図４に示すように、モータ１は、ステータ１１およびロータ１２を有する。モータ１は、軸受部１３と、ブッシュ１４とを更に有する。
【００１２】
ステータ１１は、上下に延びる中心軸Ｃを中心とする環状である。ステータ１１は、駆動電流に応じて磁束を発生させる電機子である。ステータ１１は、ステータコア１１１およびコイル１１２を有する。ステータコア１１１は磁性体である。ステータコア１１１は、例えば電磁鋼板を積層して構成される。ステータコア１１１は、詳細には、コアバックと、複数のティースとを有する。コアバックは、中心軸Ｃを中心とする円環状である。各ティースは、コアバックから径方向外方へ向けて突出する。複数のティースは、周方向に等間隔に配置される。コイル１１２は、ステータコア１１１の少なくとも一部を覆うインシュレータを介してティースに導線を巻くことによって構成される。本実施形態では、ティースの数は複数であり、コイル１１２の数も複数である。インシュレータは、絶縁体であり、例えば樹脂を用いて構成される。インシュレータの代わりに粉体塗装を施してもよい。
【００１３】
ロータ１２は、中心軸Ｃを中心として回転する。ロータ１２は、ロータホルダ１２１を有する。ロータ１２は、軸部１２２と、スラストプレート部１２３とを更に有する。
【００１４】
ロータホルダ１２１は、ステータ１１より径方向外方に配置されるマグネット１２４を保持する。換言すると、ロータ１２はマグネット１２４を有する。ロータホルダ１２１は、例えば金属製である。ロータホルダ１２１は、中心軸Ｃを中心とする円環状のホルダ天板部１２１１と、ホルダ天板部１２１１の外縁から軸方向下方に延びる円筒状のホルダ筒部１２１２とを有する。
【００１５】
マグネット１２４は、中心軸Ｃを中心とする円環状である。マグネット１２４は、ホルダ筒部１２１２の内周面に固定される。マグネット１２４は、例えば接着剤によりホルダ筒部１２１２の内周面に固定される。なお、マグネット１２４は、周方向に配列される複数のマグネット片で構成されてもよい。
【００１６】
軸部１２２は、軸方向下方に向けて開口するカップ状の軸ベース部１２２１と、軸ベース部１２２１の中央部から軸方向下方に延びる筒状の軸筒部１２２２とを有する。ホルダ天板部１２１１は、軸ベース部１２２１の径方向外方に配置され、軸ベース部１２２１に支持される。軸筒部１２２２は、中心軸Ｃを中心とする。なお、本実施形態では、ロータホルダ１２１と軸部１２２とは別部材とされているが、これらは単一部材であってもよい。
【００１７】
スラストプレート部１２３は、径方向に広がる円板状のプレート部１２３１と、プレート部１２３１の上面の中央部から軸方向上方に延びるプレート軸１２３２とを有する。スラストプレート部１２３は、例えば金属で構成される。スラストプレート部１２３は、プレート軸１２３２が軸筒部１２２２内に軸方向下方から挿入されることにより、軸部１２２に固定される。すなわち、プレート部１２３１は、軸筒部１２２２の下端部に固定される。なお、プレート部１２３１の上面は、後述のスリーブ１３１の下面と軸方向に対向する。スラストプレート部１２３は、軸部１２２と単一部材であってもよい。
【００１８】
軸受部１３は、ステータ１１よりも径方向内方に配置される。軸受部１３は、スリーブ１３１とスリーブハウジング１３２とを有する。スリーブ１３１は、中心軸Ｃを中心とする円筒状である。スリーブ１３１は、例えば金属の焼結体であり、潤滑油が含浸される。スリーブハウジング１３２は、ハウジング筒部と、ハウジングキャップとを有する。スリーブハウジング１３２は例えば金属で構成される。ハウジング筒部は、中心軸Ｃを中心とする円筒状である。スリーブ１３１は、ハウジング筒部の内面に固定される。ハウジングキャップは、ハウジング筒部の下端部に固定される。ハウジングキャップは、ハウジング筒部の下部を閉塞する。
【００１９】
軸筒部１２２２は、スリーブ１３１内に通され、スリーブ１３１の径方向内方に位置する。軸筒部１２２２の外面と、スリーブ１３１の内面との径方向間には、潤滑油が存在する間隙が構成される。プレート部１２３１の下面と、スリーブハウジング１３２のハウジングキャップの上面との軸方向間には、潤滑油が存在する間隙が構成される。軸部１２２およびスラストプレート部１２３は、スリーブハウジング１３２に固定されるスリーブ１３１に対して、中心軸Ｃを中心として回転可能である。
【００２０】
ブッシュ１４は、軸方向に延びる筒状の部材である。ブッシュ１４は、例えば金属部材を切削加工することによって構成される。ブッシュ１４は、ベース４に設けられる軸方向に貫通するベース孔部４ａに挿入されて固定される。ブッシュ１４は、ステータコア１１１のコアバックの径方向内方に配置される。ステータコア１１１は、ブッシュ１４に固定される。ブッシュ１４は、スリーブハウジング１３２のハウジング筒部の径方向外方に配置される。スリーブハウジング１３２は、ブッシュ１４に固定される。
【００２１】
モータ１においては、ステータ１１に駆動電流が供給されることにより、マグネット１２４とステータ１１との間で回転トルクが発生する。これにより、ステータ１１に対してロータ１２が回転する。
【００２２】
（１−２．インペラ）
インペラ２は、ロータ１２に固定され、ロータ１２とともに回転する。図１、図３および図４に示すように、インペラ２は、筒状のインペラ筒部２１と、複数の羽根部２２とを有する。インペラ２は、例えば樹脂によって構成される。本実施形態では、インペラ筒部２１と、複数の羽根部２２とは単一部材である。ただし、インペラ筒部２１と、複数の羽根部２２とは別部材であってもよい。
【００２３】
インペラ筒部２１は、中心軸Ｃを中心として軸方向に延びる。インペラ筒部２１は、ステータ１１およびロータ１２より径方向外方に配置される。インペラ筒部２１は、ロータホルダ１２１に固定される。固定方法は、例えば、接着による固定、又は、圧入による固定であってよい。
【００２４】
羽根部２２は、インペラ筒部２１から中心軸Ｃから離れる方向に延びる。複数の羽根部２２は、周方向に配置される。詳細には、複数の羽根部２２は、周方向に間隔をあけて配置される。本実施形態では、インペラ２は、複数の羽根部２２の中心軸Ｃから離れる方向の外端部の上面と接続される円環状部２３を更に有する。なお、中心軸Ｃから離れる方向は、径方向と平行であってもよいし、径方向に対して傾いた方向であってもよい。
【００２５】
インペラ筒部２１は、羽根部２２と径方向に接続される外周面２１ａを有する。本実施形態では、インペラ筒部２１と羽根部２２とは単一部材であり、外周面２１ａと羽根部２２とは一繋がりとなって接続される。インペラ筒部２１と羽根部２２とが別部材である場合には、外周面２１ａは、例えば接着剤等の中間部材を介在させて羽根部２２と径方向に接続されてよい。
【００２６】
インペラ筒部２１は、ロータホルダ１２１と径方向に接触する内周面２１ｂを有する。詳細には、内周面２１ｂは、ホルダ筒部１２１２の外周面と接触する。内周面２１ｂは、インペラ筒部２１にホルダ筒部１２１２が圧入、または軽圧入されることにより、ホルダ筒部１２１２の外周面と直接的に接触してよい。また、内周面２１ｂは、インペラ筒部２１とホルダ筒部１２１２との径方向間に接着剤等の中間部材を介在させて、ホルダ筒部１２１２の外周面と間接的に接触してもよい。
【００２７】
（１−３．回路基板）
回路基板３は、インペラ２の軸方向下方に少なくとも一部が配置される。回路基板３上には、少なくとも１つの電子部品３０が配置される。本実施形態では、回路基板３上には、複数の電子部品３０が配置される。なお、図２においては、回路基板３上の電子部品３０は省略されている。複数の電子部品３０には、様々なサイズの電子部品が含まれてよい。電子部品３０は、例えば、ＩＣチップ、トランジスタ、コンデンサ、抵抗、ダイオード等であってよい。
【００２８】
本実施形態では、回路基板３はＦＰＣ（Flexible Printed circuits）である。ただし、回路基板３は、リジッド基板等の他の種類の回路基板であってもよい。回路基板３は、補強板を含んで構成されてよい。回路基板３は、ベース４に固定される。回路基板３は、例えば両面テープによってベース４に固定される。
【００２９】
本実施形態では、回路基板３は、環状に構成され、一部がモータ１の下方に配置され、残りの一部はモータ１の径方向外方に配置される。詳細には、前述の残りの一部は、ステータ１１およびロータ１２の径方向外方に配置される。なお、回路基板３上に設けられる配線は、モータ１の径方向外方に配置されることが好ましい。すなわち、回路基板３の配線は、ステータ１１およびロータ１２の径方向外方に配置されることが好ましい。
【００３０】
（１−４．ベース）
ベース４は、回路基板３の軸方向下方に配置される。ベース４は、モータ１および回路基板３を支持する。ベース４は、例えば板金を用いて構成される。本実施形態では、ベース４は、軸方向からの平面視において円形状である。ベース４は、径方向に突出する取付部４１を有する。本実施形態では、取付部４１の数は３つであるが、この数は変更されてよい。取付部４１は、ねじを通すねじ孔４１１を有する。ベース４は、取付部４１を利用して、送風装置１００を搭載する機器の所定箇所に取り付けられる。
【００３１】
ベース４は、複数の開口部４２を有する。開口部４２は、軸方向に貫通する。複数の開口部４２は、周方向に間隔をあけて配置される。複数の開口部４２は、羽根部２２と軸方向に対向する。これにより、インペラ２が回転すると、インペラ２の軸方向上方からだけなく、ベース４の軸方向下方からも送風装置１００内に空気を引き込むことが可能になる。この結果、風量を増加させることができる。
【００３２】
回路基板３の径方向外端は、インペラ筒部２１の外周面２１ａと同一位置、或いは、外周面２１ａより径方向内方に配置される。本実施形態では、回路基板３の径方向外端は、外周面２１ａより径方向内方に配置される。羽根部２２の軸方向下方に回路基板３が存在しないために、羽根部２２の軸方向下方に設けられるスペースを大きくすることができる。この結果、騒音の発生を抑制することができる。
【００３３】
＜２．電子部品の配置＞
図３および図４に示すように、回路基板３上の少なくとも１つの電子部品３０は、インペラ筒部２１の軸方向下方に配置される。なお、回路基板３上の電子部品３０のうち、軸方向上端の軸方向高さ位置がステータ１１又はロータ１２の下面より低い電子部品３０は、ステータ１１又はロータ１２の軸方向下方に配置されてよい。
【００３４】
回路基板３上の少なくとも１つの電子部品３０は、インペラ筒部２１の内周面２１ｂの径方向外方、且つ、インペラ筒部２１の外周面２１ａの径方向内方に配置されている。本実施形態では、回路基板３上の電子部品３０は、全て、インペラ筒部２１の内周面２１ｂの径方向外方、且つ、インペラ筒部２１の外周面２１ａの径方向内方に配置されている。
【００３５】
本実施形態によれば、電子部品３０がステータ１１又はロータ１２と軸方向に重なる位置に配置される場合に比べて、インペラ筒部２１の形状の工夫により送風装置１００の軸方向の厚みを薄くすることができる。また、電子部品３０は、インペラ２の羽根部２２より径方向内方に配置されるために、羽根部２２の回転により発生する風の流れを電子部品３０が妨げることを抑制でき、騒音を抑制することができる。また、電子部品３０とステータ１１との位置を離して配置することができるために、電子部品３０の温度がステータ１１からの熱によって上昇することを抑制できる。
【００３６】
図５は、本発明の実施形態に係る送風装置１００の電子部品３０周りの構成を示す縦断面図である。図５は、図４の一部を拡大した図である。図５に示すように、軸方向高さが最も高い電子部品３０の軸方向上端Ｕは、マグネット１２４の軸方向下端Ｂ１よりも軸方向上方に位置する。軸方向高さが最も高い電子部品３０は、例えば、モータ１の駆動を制御するＩＣチップである。本実施形態によれば、マグネット１２４の軸方向下方に電子部品３０を配置する場合に比べて送風装置１００の軸方向の厚みを薄型化することができる。
【００３７】
軸方向高さが最も高い電子部品３０の軸方向上端Ｕは、羽根部２２の径方向内端の軸方向下端Ｂ２より軸方向上方に位置する。本実施形態によれば、羽根部２２の軸方向下方に電子部品３０を配置する場合に比べて送風装置１００の軸方向の厚みを薄型化することができる。
【００３８】
図５に示すように、インペラ筒部２１は、天板部２１１と、内壁部２１２と、外壁部２１３とを有する。なお、天板部２１１、内壁部２１２、および、外壁部２１３は、単一部材でも別部材であってもよい。
【００３９】
天板部２１１は、インペラ筒部２１の内周面２１ｂから径方向外方に延びる。天板部２１１は、軸方向上方からの平面視において、円環状である。天板部２１１の径方向内端は、内周面２１ｂの一部を構成する。天板部２１１の径方向外端は、外周面２１ａの一部を構成する。天板部２１１の軸方向の厚みは、径方向の全て区間で一定でもよい。ただし、本実施形態では、天板部２１１の軸方向の厚みは、径方向内方に比べて径方向外方の方が薄くなっている。これにより、余分な肉厚を取り除くことによってインペラ２の軽量化を図ることができる。
【００４０】
内壁部２１２は、天板部２１１の下面から内周面２１ｂに沿って軸方向下方に延びる。内壁部２１２の径方向内方の面は、内周面２１ｂの一部を構成する。内壁部２１２は、中心軸Ｃを中心とする円環状である。
【００４１】
外壁部２１３は、天板部２１１の下面から外周面２１ａに沿って軸方向下方に延びる。外壁部２１３の径方向外方の面は、外周面２１ａの一部を構成する。外壁部２１３は、中心軸Ｃを中心とする円環状である。
【００４２】
天板部２１１、内壁部２１２、および、外壁部２１３は、インペラ筒部２１の下面から軸方向上方に凹む凹部２１４を形成する。凹部２１４は、中心軸Ｃを中心とする円環状である。
【００４３】
少なくとも１つの電子部品３０の一部は、天板部２１１と、内壁部２１２と、外壁部２１３とによって形成される凹部２１４に収容される。詳細には、電子部品３０の上部側が凹部２１４に収容される。本実施形態によれば、凹部２１４が設けられることにより、電子部品３０がインペラ筒部２１と接触することを避けることができ、送風装置１００の軸方向の厚みを薄くすることができる。また、本実施形態では、電子部品３０との接触を避けるためにインペラ筒部２１を薄型化された天板部２１１のみで構成する場合に比べて、インペラ筒部２１の軸方向厚みを厚くすることができる。このために、インペラ筒部２１と羽根部２２との接続を強固にすることができるとともに、インペラ筒部２１をロータホルダ１２１によって強固に保持することができる。なお、インペラ筒部２１は、内壁部２１２および外壁部２１３を有さず、天板部２１１のみとしてもよい。
【００４４】
内壁部２１２の径方向外方の面と、外壁部２１３の径方向内方の面とのうち少なくとも一方は、軸方向に対して傾斜する傾斜部２１５を有することが好ましい。傾斜部２１５を有する構成とすることによって、インペラ筒部２１において応力を分散させることができ、インペラ筒部２１の強度を向上することができる。
【００４５】
本実施形態では、傾斜部２１５は、外壁部２１３の径方向内方の面に設けられる。詳細には、外壁部２１３の径方向内方の面は、全て傾斜部２１５である。外壁部２１３は、傾斜部２１５により軸方向下方に向かうにつれて径方向の幅が狭くなる。なお、本実施形態では、内壁部２１２の径方向外方の面は傾斜部２１５を有しない。
【００４６】
本実施形態によれば、凹部２１４の径方向内方において凹部２１４の軸方向深さが浅くなることを避けることができる。また、本実施形態によれば、インペラ筒部２１において変形量が大きくなりやすい径方向外方側に傾斜部２１５を設けて、軸方向の厚みを厚くし、インペラ筒部２１の強度の低下を抑制することができる。すなわち、本実施形態によれば、電子部品３０との接触を避けるために凹部２１４を設けた場合において、インペラ筒部２１の強度の低下を抑制することができる。
【００４７】
なお、傾斜部２１５が内壁部２１２の径方向外方の面に設けられる場合には、傾斜部２１５は、軸方向下方に向かうにつれて内壁部２１２の幅を狭くする構成とすればよい。
【００４８】
図５に示すように、内壁部２１２の軸方向下端は、外壁部２１３の軸方向下端よりも軸方向下方に配置されている。本実施形態では、内壁部２１２の軸方向下端、および、外壁部２１３の軸方向下端は平面である。ただし、内壁部２１２の軸方向下端、および、外壁部２１３の軸方向下端のうち、少なくともいずれか一方は、平面でなく、湾曲面等であってよい。
【００４９】
本実施形態では、内壁部２１２とロータホルダ１２１との接触面積を大きくして、ロータホルダ１２１によってインペラ筒部２１を強固に保持することができる。そして、本実施形態では、外壁部２１３の軸方向下端の高さ位置を高くして、インペラ筒部２１の外周面２１ａから中心軸Ｃから離れる方向に延びる羽根部２２の軸方向下端の軸方向高さを上方に上げ、羽根部２２とベース４との軸方向間距離を大きくすることができる。すなわち、ベース４の下側から上側に向かう気流が発生する送風装置１００において、羽根部２２の軸方向下方に設けられるスペースを大きくすることができるために、騒音の発生を抑制することができる。
【００５０】
＜３．変形例＞
（３−１．第１変形例）
図６は、第１変形例の送風装置１００Ａを説明するための図である。図６は、送風装置１００Ａの一部の縦断面図である。第１変形例の送風装置１００Ａは、上述した実施形態の送風装置１００の回路基板３と異なる構成を有する回路基板３Ａを有する。
【００５１】
回路基板３Ａは、軸方向上方に突出する突出部３１を有する。突出部３１は、外壁部２１３と軸方向に対向する。本変形例では、突出部３１は回路基板３Ａの径方向外端に設けられる。ただし、突出部３１が設けられる回路基板３Ａ上の径方向位置は、回路基板３のサイズに応じて変更されてよい。突出部３１は、回路基板３Ａを構成する基板と単一部材であってもよいし、別部材であってもよい。別部材である場合、突出部３１は、例えば回路基板３Ａに接着剤で固定されてよい。突出部３１の形状は、外壁部２１３と回路基板３Ａとの間の軸方向の間隔を狭めることができる形状であればよい。本変形例では突出部３１は、断面視において三角形状であり、径方向内方および径方向内方の面が軸方向に対して傾斜する。
【００５２】
本変形例によれば、突出部３１によって外壁部２１３と回路基板３Ａとの間の軸方向の間隔を狭めることができる。この結果、インペラ筒部２１の径方向外方から凹部２１４に気流が流れ込むことを抑制することができ、騒音の発生を抑制することができる。
【００５３】
（３−２．第２変形例）
図７は、第２変形例の送風装置１００Ｂを説明するための図である。図７は、送風装置１００Ｂの一部の縦断面図である。第２変形例の送風装置１００Ｂは、上述した実施形態の送風装置１００のベース４と異なる構成を有するベース４Ａを有する。
【００５４】
ベース４Ａは、軸方向上方に突出する突出部３１Ａを有する。突出部３１Ａは、外壁部２１３と軸方向に対向する。突出部３１Ａは、ベース４Ａと単一部材であってもよいし、別部材であってもよい。突出部３１Ａがベース４Ａと単一部材である場合、突出部３１Ａは例えばプレス加工によって形成されてよい。突出部３１Ａがベース４Ａと別部材である場合、突出部３１Ａは例えば溶接によって形成されてよい。なお、本変形例では、回路基板３の径方向外端は、外壁部２１３より径方向内方に位置する。突出部３１Ａの形状は、外壁部２１３とベース４Ａとの間の軸方向の間隔を狭めることができる形状であればよい。本変形例では突出部３１Ａは、断面視において三角形状であり、径方向内方および径方向内方の面が軸方向に対して傾斜する。
【００５５】
本変形例においても、第１変形例と同様に、突出部３１Ａによって外壁部２１３とベース４Ａとの間の軸方向の間隔を狭めることができる。この結果、インペラ筒部２１の径方向外方から凹部２１４に気流が流れ込むことを抑制することができ、騒音の発生を抑制することができる。
【００５６】
（３−３．第３変形例）
図８は、第３変形例の送風装置１００Ｃを説明するための図である。図８は、送風装置１００Ｃの一部の縦断面図である。インペラ筒部２１Ａは、天板部２１１Ａと、内壁部２１２Ａとを有する。天板部２１１Ａは、インペラ筒部２１Ａのロータホルダ１２１と径方向に接触する内周面２１Ａｂから径方向外方に延びる。羽根部２２Ａは、天板部２１１Ａの径方向外方の端面から中心軸Ｃから離れる方向に延びる。すなわち、天板部２１１Ａの径方向外方の端面は、インペラ筒部２１Ａの羽根部２２Ａに接続される外周面２１Ａａを構成する。内壁部２１２Ａは、天板部２１１Ａの下面から内周面２１Ａｂに沿って軸方向下方に延びる。電子部品３０は、天板部２１１Ａの下面と対向する位置に配置される。
【００５７】
本変形例においても、電子部品３０は羽根部２２Ａより径方向内方に配置される。このために、羽根部２２Ａの回転で生じた風の流れが電子部品３０によって妨げられることを抑制できる。また、本変形例でも、電子部品３０はロータホルダ１２１の径方向外方に配置される。そして、インペラ筒部２１Ａには、天板部２１１Ａの下面が内壁部２１２Ａの下面より軸方向の高さが高くなる段差構造が設けられているために、電子部品３０がインペラ筒部２１Ａと接触することを避けることができ、送風装置１００Ｃの軸方向の厚みを薄くすることができ、インペラ２の軽量化を図ることができる。
【００５８】
（３−４．第４変形例）
図９は、第４変形例の送風装置１００Ｄを説明するための図である。図９は、送風装置１００Ｄの一部の縦断面図である。インペラ筒部２１Ｂは、天板部２１１Ｂと、外壁部２１３Ｂとを有する。天板部２１１Ｂは、インペラ筒部２１Ｂのロータホルダ１２１と径方向に接触する内周面２１Ｂｂから径方向外方に延びる。本変形例では、内周面２１Ｂｂは、天板部２１１Ｂの径方向内方の端面により構成される。外壁部２１３Ｂは、天板部２１１Ｂの下面から、インペラ筒部２１Ｂの羽根部２２Ｂに接続される外周面２１Ｂａに沿って軸方向下方に延びる。電子部品３０は、天板部２１１Ｂの下面と対向する位置に配置される。
【００５９】
本変形例においても、電子部品３０は羽根部２２Ｂより径方向内方に配置される。このために、羽根部２２Ｂの回転で生じた風の流れが電子部品３０によって妨げられることを抑制できる。また、本変形例でも、電子部品３０はロータホルダ１２１の径方向外方に配置される。そして、インペラ筒部２１Ｂには、天板部２１１Ｂの下面が外壁部２１３Ｂの下面より軸方向の高さが高くなる段差構造が設けられるために、電子部品３０がインペラ筒部２１Ｂと接触することを避けることができ、送風装置１００Ｄの軸方向の厚みを薄くすることができ、インペラ２の軽量化を図ることができる。
【００６０】
＜４．留意事項＞
本明細書中に開示されている種々の技術的特徴は、その技術的創作の主旨を逸脱しない範囲で種々の変更を加えることが可能である。また、本明細書中に示される複数の実施形態および変形例は可能な範囲で組み合わせて実施されてよい。
【産業上の利用可能性】
【００６１】
本発明は、例えばノート型のパーソナルコンピュータに用いられる遠心ファン等に利用することができる。
【符号の説明】
【００６２】
１・・・モータ
２・・・インペラ
３、３Ａ・・・回路基板
４、４Ａ・・・ベース
１１・・・ステータ
１２・・・ロータ
２１、２１Ａ、２１Ｂ・・・インペラ筒部
２１ａ、２１Ａａ、２１Ｂａ・・・外周面
２１ｂ、２１Ａｂ、２１Ｂｂ・・・内周面
２２、２２Ａ、２２Ｂ・・・羽根部
３０・・・電子部品
３１、３１Ａ・・・突出部
４２・・・開口部
１００、１００Ａ、１００Ｂ、１００Ｃ、１００Ｄ・・・送風装置
１２１・・・ロータホルダ
１２４・・・マグネット
２１１、２１１Ａ、２１１Ｂ・・・天板部
２１２、２１２Ａ・・・内壁部
２１３、２１３Ｂ・・・外壁部
２１４・・・凹部
２１５・・・傾斜部
Ｃ・・・中心軸
【図１】
2020076330.tif 000003
【図２】
2020076330.tif 000004
【図３】
2020076330.tif 000005
【図４】
2020076330.tif 000006
【図５】
2020076330.tif 000007
【図６】
2020076330.tif 000008
【図７】
2020076330.tif 000009
【図８】
2020076330.tif 000010
【図９】
2020076330.tif 000011